(57)【要約】【課題】  装着した状態でも上半身の動きが前後左右に自在に行える使用感のよい点滴携帯装置を提供することを目的としている。【解決手段】  右肩に載せ置く湾曲形態の内側がクッション製部材である右肩載せ部２と左肩載せ部３、右肩載せ部２と左肩載せ部３を背部側で連結する連結部４とからなる肩載せ体５と、連結部４の下部に下げ設けられたクッション機能を果たす背中当り支持部６と、逆U字形態の棒部材からなる点滴容器支持部１５と、装着バンド部１９とからなっている。【選択図】図１
2005246037.tif 000002
【特許請求の範囲】
【請求項１】
右肩に載せ置く右肩載せ部、左肩に載せ置く左肩載せ部、前記右肩載せ部と前記左肩載せ部を連結する連結部とからなる肩載せ体と、前記右肩載せ部および前記左肩載せ部あるいはいずれか一方側に立ち上げ設けられた点滴容器を吊るすとか底部を支持するなどして装置装着者の略肩上方に該点滴容器を支持するための点滴容器支持部と、前記肩載せ体を装置装着者の肩上に装着固定するための装着バンド部とからなることを特徴とする点滴携帯装置。
【請求項２】
一方の肩に載せ置く肩載せ体と、この肩載せ体の後部側あるいは前部側に固定され立ち下げられた装置装着者の背部横側や胴側部に位置される胴部支持部と、この胴部支持部を上方に延長するようにして設けたりあるいは前記肩載せ体から立ち上げるなどして設けられた点滴容器を装置装着者の略肩上方に支持するための点滴容器支持部と、前記肩載せ体および前記胴部支持部を装着者に装着固定するための装着バンド部とからなることを特徴とする点滴携帯装置。
【請求項３】
装着バンド部に装置装着者の腰を含む胴部に廻し該胴部を締める胴部締め装着バンドを設け、こ胴部締め装着バンドで胴部支持部を支持して、肩載せ体の高さ位置を調節でき位置調節手段を設けてなることを特徴とする請求項２記載の点滴携帯装置。
【請求項４】
点滴容器支持部を前方に傾けるとか前方に移動させるとかなどにより、装着者がソファー等に寄り掛かりぎみの倒れ姿勢となっても点滴容器を略肩上方に支持できるようにしてなることを特徴とする請求項１，２、３いずれか記載の点滴携帯装置。
【請求項５】
肩載せ体の前方部分が装着者の身体形態や引っ張り方向に対応して曲がる部材からなる曲がり部であることを特徴とする請求項１、２、３、４いずれか記載の点滴携帯装置。
【請求項６】
点滴容器を肩上方に保持しておく点滴容器携帯装置において、前記点滴容器に取り付けた点滴管を丸めるなどまとめて収納する管整理収納手段を設けてなることを特徴とする点滴容器携帯装置。
【請求項７】
点滴容器を肩上方に保持しておく点滴容器携帯装置における点滴液の補給方法であって、前記点滴容器に補給する点滴液を収納した補給容器を腰装着バックなどに携帯し、前記点滴容器と前記補給容器を補給管で連絡して該補給容器内の点滴液を該点滴容器に補給可能としておき、前記点滴容器内の点滴容器がある程度減ったら前記補給容器の点滴容液を該点滴容器にポンプや該補給容器の圧迫などにより適度な量を補給可能にしてなることを特徴とする点滴容器携帯装置における点滴液の補給方法。
【発明の詳細な説明】
【技術分野】
【０００１】
本発明は、点滴を使用する者が点滴容器を身体上に携帯して、該点滴容器内の点滴液を自然落下により身体に注入しながら移動することができる点滴携帯装置に関する。
【背景技術】
【０００２】
従来、実開平２−２０５４５（点滴容器携帯用具）に、両肩に載せる肩載せアームを有する背負子形態の携帯用具本体の真後ろに、点滴容器が頭部真後ろ少し上に位置するように点滴容器吊部を設け、前記肩載せアームを肩に載せ下方をバンドで上半身に固定して、点滴容器を背負い移動することができるようにしてなる技術が開示されている。
【特許文献１】実開平２−２０５４５
【発明の開示】
【発明が解決しようとする課題】
【０００３】
上記した従来技術は、上半身を前後に曲げる左右横に曲げる左右に捻るなど多様な姿勢や動きができ難いので、動作の制約が多く使用感が大変悪く疲れやすい、短時間で強いストレスを生じるという欠点があった。
また、背中に背負部位が背中全体を被うような長く幅広のものであるので、椅子やソワ−や車の座席などに座った場合に背負い部位が背中を強く圧迫するなど、強い違和感がある、長い時間座っていられない、という欠点があった。
また、装置が大型であるので、重量があり長時間背負って歩行したりすることが困難であるという欠点があった。
また、背負子形態であるので、格好が悪いこともあり使用そのものに強いストレスを感じる人が多いという欠点もある。
また、大向け気味の楽な寝姿勢をとることができないという欠点があった。
【０００４】
本発明は以上のような従来技術の欠点に鑑み、装着した状態でも上半身の動きが前後左右に自在に行える使用感のよい点滴携帯装置および点滴容器携帯装置における点滴液の補給方法を提供することを目的としている。
【０００５】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲を限定するものではない。
【課題を解決するための手段】
【０００６】
上記目的を達成するために、右肩に載せ置く右肩載せ部、左肩に載せ置く左肩載せ部、前記右肩載せ部と前記左肩載せ部を連結する連結部とからなる肩載せ体と、前記右肩載せ部および前記左肩載せ部あるいはいずれか一方側に立ち上げ設けられた点滴容器を吊るすとか底部を支持するなどして装置装着者の略肩上方に該点滴容器を支持するための点滴容器支持部と、前記肩載せ体を装置装着者の肩上に装着固定するための装着バンド部とで点滴携帯装置を構成している。
【０００７】
また、一方の肩に載せ置く肩載せ体と、この肩載せ体の後部側あるいは前部側に固定され立ち下げられた装置装着者の背部横側あるいは胴側部に位置される胴部支持部と、この胴部支持部を上方に延長するようにして設けたりあるいは前記肩載せ体から立ち上げるなどして設けられた点滴容器を装置装着者の略肩上方に支持するための点滴容器支持部と、前記肩載せ体および前記胴部支持部を装着者に装着固定するための装着バンド部とで点滴携帯装置を構成している。
【０００８】
また、点滴容器を肩上方に保持しておく点滴容器携帯装置において、前記点滴容器に取り付けた点滴管を丸めるなどまとめて収納する管整理収納手段を設けてなる点滴容器携帯装置を構成している。
【０００９】
また、点滴容器を肩上方に保持しておく点滴容器携帯装置における点滴液の補給方法であって、前記点滴容器に補給する点滴液を収納した補給容器を腰装着バックなどに携帯し、前記点滴容器と前記補給容器を補給管で連絡して該補給容器内の点滴液を該点滴容器に補給可能としておき、前記点滴容器内の点滴容器がある程度減ったら前記補給容器の点滴容液を該点滴容器にポンプや該補給容器の圧迫などにより適度な量を補給可能にしてなる点滴容器携帯装置における点滴液の補給方法を構成している。
【発明の効果】
【００１０】
以上の説明から明らかなように、本発明にあっては次に列挙する効果が得られる。
【００１１】
（１）肩載せ部を両肩に載せ装着する形態、すなわち胸上に装置が載り固定される形態であるので、上半身を前後に曲げる、左右に曲げる、左右に捻るなどの動作を自由にでき、動作範囲の束縛の少ない大変使用し易く長時間装着してもストレスの少ない点滴携帯装置を実現するという効果を得ることができる。
また、椅子、ソファー、車の座席などの背もたれのあるものに座っても背中と背もたれの間に挟持される部材が無いので違和感なく座れ、且つ、上半身の動作が自由にできるとい効果を得ることができる。
また、装置が肩の胸上部位を占めるような小型であるので軽量化を実現するという効果を得ることができる。
また、胸上肩にのる形態であるので、格好がスポーティーであり、服装がトレーナーなどのスポーツファッションでは違和感がすくなく、軽く走ることも容易にできるという効果を得ることができる。
（２）片側に肩載せ体を設け且つ背部側あるいは前部側に該肩載せ体に固定された装着差者の背部横側や胴側部に位置される胴部支持部を設けてなるものは、背中と椅子の背もたれの間に挟持される部材が無いので違和感なく座れるという効果を得ることができる。
（３）装着バンド部に装置装着者の腰を含む胴部に廻し該胴部を締める胴部締め装着バンドを設け、こ胴部締め装着バンドで胴部支持部を支持して、肩載せ体の高さ位置を調節でき位置調節手段を設けてなるものは、胴部支持部を胴部締め付け装着バンドで固定して、位置調節手段により肩載せ体の高さ位置を装置装着者の方からわずかに浮かす位置とすることにより、点滴容器の荷重を胴部支持部および腰などの胴部側で受けるようにできるので、肩に掛かる荷重を大幅に軽減することがすることができるという効果を得ることができる。これにより、長時間の使用時、１リットル、２リットルなどの大容量点滴容器の使用時のストレスを大幅に軽減できるものである。
（４）支持体本体を前方に傾けるとか前方に移動させるとか点滴容器支持部を肩載せ体などの前部側に立て支持することができるなどにより、装着者がソファー等に寄り掛かりぎみの倒れ姿勢となっても点滴容器を略肩上方に支持できるようにしてなるものは、自動車のリクライニングシートを倒して仰向けぎみの倒れ姿勢などの寝姿勢を可能とするという効果をえることができる。
（５）肩載せ体の前方部分が装着者の身体形態や引っ張り方向に対応して曲がる部材からなる曲がり部としてなるものは、肩載せ体ないし肩載せ部の装着感を装着者の身体形態に合ったものにでき、装着感の良い装置とすることができるという効果を得ることができる。
（６）管整理収納手段を設けてなるものは、点滴管を整理収納しておけるので、点滴管を引っ掛けるなどの危険を無くせるとともに、見た目もよいものにできるという効果を得ることができる。
（７）点滴容器内の点滴容器がある程度減ったら補給容器の点滴容液を該点滴容器にポンプや該補給容器の圧迫などにより適度な量を補給可能にしてなる点滴液の補給方法は、点滴容器を交換する作業を行うことなく長時間の連続点滴を可能とする、点滴容器内の点滴液量を容器の半分いかに保つなどにより装着荷重を軽いものとできる、点滴量を直接コントロールする装置に比べて極めて安価なものにでき、特に装置装着者が直接補給容器を圧迫して補給するものは安価であるなどの効果を得ることができる。
また、補給容器を手で圧迫するなどして補給するものは、バッテリーが必要ないので、バッテリー切れを心配しないで済む。
また、電動ポンプを駆動するものも、常に電動ポンプを作動させるものでなく、日に多くても数回の作動で済むのでバッテリー長期間使用ができ、通常店舗で購入できるバッテリーで十分であり、予備のバッテリーを常備していればバッテリー切れによる心配もないし、たとえバッテリーが切れても補給容器を手で圧迫することなどにより点滴液の補給を可能としておくことにより、適切な対応ができるという効果を得ることができる。
【発明を実施するための最良の形態】
【００１２】
以下、図面に示す発明を実施するための最良の形態により、本発明を詳細に説明する。
【００１３】
図１ないし図３に示す本発明を実施するための最良の第１の実施の形態において１は点滴携帯装置であって、右肩に載せ置く湾曲形態の内側がクッション製部材である右肩載せ部２、左肩に載せ置く湾曲形態の内側がクッション性である左肩載せ部３、右肩載せ部２と左肩載せ部３を背部側で連結する連結部４とからなる肩載せ体５と、連結部４の下部に下げ設けられた、内側にヒンジーなどにより折畳み可能なクッション部材からなる背中当り支持部６と、左肩載せ部３の上部に設けられた、シャフト支持穴７，８を有し、シャフト支持穴８に差し込まれたシャフトを締め付け固定する固定ボルト９を有してなるシャフト支持台１０と、シャフト支持穴７，８に下部を差し込み立設支持される逆U字形態の棒部材からなる点滴容器支持体１１、該１１の上部に設けられた点滴容器１２を吊るすフック１３、点滴容器支持体１１の中程に設けられた点滴容器１２の揺れ動きを制限するリング形態の揺れ動き止め部１４とからなる点滴容器支持部１５と、右肩載せ部２と左肩載せ部３の前先端に設けられた雌連結具１６ａ、１６ｂ、連結部４側から延びた雄連結具１７ａ、１７ｂを先端に備えたバンド１８ａ、１８ｂとからなる右肩載せ部２と左肩載せ部３を装着者の肩上に装着固定するための装着バンド部１９とからなっている。
シャフト支持台１０を左右の肩載せ部の設けて、装着者の使用し易いほうを選べるようにしたり、予備の点滴容器をつけおくようにするのも良い。
背中当り支持部６には、縦状態を保持するための後方に行かないようにするストッパー２０が設けられている。
図２では装着バンド部１９の連結を雌連結具１６ａに雄連結具１７ａに連結し、雌連結具１６ｂに雌連結具１７ｂを連結しているが、雌連結具１６ａに雄連結具１７ｂに連結し、雌連結具１６ｂに雄結具１７ａを連結するX形態（前襷がけ）とするのもよく、この方が装着感は確りとして安定する。
図３に示すように、背中当り支持部６は内側に折ることができ、折った状態でテーブル等に点滴容器支持部１５を立てた状態で置くことができる。
肩載せ体５は軽金属製板部材や硬質プラスチック製板部材や木製板部材や竹製板部材などの硬質軽量部材からなる骨組部と、この骨組部の下部に接着されたクッション製部材と、これらを外側から被う伸縮性のカバーとで形成されている。
図１においてシャフト支持台１０の前部に補助支持棒支持穴２７が設けられ、点滴容器支持体１１にフック１３を設けた保持支持棒２６が面ファスナーにより係止されている。
ソファーやリクライニングシートなどに大向け気味に寝姿勢をとる場合には、補助支持棒支持穴２７に保持支持棒２６を差し込み支持させ、これに点滴容器を吊るし支持するものである。
【００１４】
（発明を実施するための異なる形態）
次に、図４ないし図２１に示す本発明を実施するための異なる形態について説明する。なお、これら本発明を実施するための異なる形態の説明に当たって、本発明を実施するための最良の第１の実施の形態と同一構成部分には同一符号を付して重複する説明を省略する。
【００１５】
図４に示す本発明を実施するための最良の第２の実施の形態において前記本発明を実施するための最良の前記第１の実施の形態と主に異なる点は、伸縮性のカバーを用いず軽金属製板部材や硬質プラスチック製板部材や木製板部材や竹製板部材などの硬質軽量部材からなる骨組部を中抜け形態の骨組部２２とし、クッション部を骨組部２２が填まりこむ填まり溝２３を備えたクッション部２４として、帆ね組部２２を填まり溝２３に填め込みクッション部２４と接着させ一体化させてなる点滴携帯装置２５を形成した点にある。
【００１６】
図５ないし図７に示す本発明を実施するための最良の第３の実施の形態において前記本発明を実施するための最良の前記第１の実施の形態と主に異なる点は、装着バンド部をバンド１８ａの先端に雌連結具２８を設け、バンド１８ｂの先端に雌連結具２８と連結させる雄連結具２９を設け、バンド１８ａの中途に移動可能状態で調節バンド３０に取り付けた雌連結具１６ａに連結する雄連結具３１を設け、バンド１８ｂの中途に移動可能状態で調節バンド３２に取り付けた雌連結具１６ｂに連結する雄連結具３３を設けてなる装着バンド部３４を形成し、背中当り支持部の構成を立下り状態が固定されて折れない形態とした中当り支持背部３５としてなる点滴携帯装置３６を形成した点にある。
肩載せ体５を肩に載せ雌連結具２８と雄連結具２９を連結しバンド１８ａ、１８bで胸下を締めるようにし、雌連結具１６ａに雄連結具３１を連結し、雌連結具１６ｂに雄連結具３３を連結して装着固定する。
図６において、壁に取り付け固定した一方が開放された横バーからなる装置保持具３８に中当り支持背部３５を差し込み保持している。
この状態にして、装着者は肩に載せ上に持ち上げるが横に移動して装置保持具３８から外し、装着バンド部３５を操作装着することができる。
また、装着者が座る椅子の傍壁や、ベッドの傍壁に装置保持具３８を取り付けておくことにより、装着しないで点滴ができるものである。
図７において、ソファー３９の背もたれ部の上部に肩載せ体５を載せ置いている。
このようにして、被点滴者がソファーに横になった状態や、床に横になった状態での使用もできるものである。
【００１７】
図８に示す本発明を実施するための最良の第４の実施の形態において前記本発明を実施するための最良の前記第１の実施の形態と主に異なる点は、点滴容器支持部を、フック１３を有する下部で回動自在に軸支された逆Ｌ字形態の点滴容器支持体４１と、シャフト支持台１０内の上方で点滴容器支持体４１の下部側上部を軸支する軸支部４２と、点滴容器支持体４１の軸支部４２より下方の設けられた軸支部４３と、該４３に連結されたアーム４４と、このアームに回転自在に連結されたボルト４５と、このボルト４５を螺合支持してなるシャフト支持台１０に設けられた雌ネジ部４６と、シャフト支持台１０の外に在るボルト４５の摘み部４７とからなる点滴容器支持部４８とした点滴携帯装置４９を形成した点にある。
ボルト４５をねじ込むと点滴容器支持体４１は前方に傾き、ボルト４５をねじ戻すと支持体本体４１は起き上がる。
こように支持体本体を前方に傾き調節できる構成とすることにより、ソファーに揺ったりとした姿勢で座るとか自動車等のリクライニングシートを傾けて座る、寝状態になるなどの姿勢でも点滴容器を適切な位置できるという効果を得ることができる。
摘み部４７は左肩載せ部３の前部に設けられているので右手で簡単に操作することができ、左手でも操作可能である。
このように点滴容器支持部に支持した点滴容器の位置を前方に持ってくる方法は支持体本体を傾ける他に支持体本体を前方に移動させる方法がある。
支持体本体を前方に傾けて任意の部位で固定できる機構は点滴容器支持部４８の機構に限られるものではなく、単純には下部でボルトで軸支した支持体本体を該ボルトの締め付け緩め操作で行う機構など多様な機構があることはいうまでもない。
【００１８】
図９ないし図１３に示す本発明を実施するための最良の第５の実施の形態において５２は点滴携帯装置であって、この点滴携帯装置５２は左肩に載せ置く湾曲形態の内側がクッション製部材からなる肩載せ体５３と、この肩載せ体５３の後部に設けられた背部がストレート形態でネジ穴５４を該背部側上部に有するシャフト支持部５５と、このシャフト支持部５５にネジ穴５４に螺合されるボルト５６で締め付け固定される逆Ｌ字形態長板製部材の点滴容器支持部５７と、この点滴容器支持部５７の上部に設けられた点滴容器１２を吊るすための前部フック５８、後部フック５９と、点滴容器支持部５７の直立部にあけられたポルト５６を通し且つ上下の高さ調節を可能とするための長穴６０と、シャフト支持部５５の背部側下部に設けられた長穴６０に填まる支持突起６１と、点滴容器支持部５７の下部を内側に曲げ寄せるように延長して背中の中程に当るパッと部材を支持し且つ装置の直立を状態を保持するための胴部支持部６２と、この胴部支持部６２の下部側に設けてなる二枚の板材で該６２を挟持した形態の下部受け部６３と、この下部受け部６３とシャフト支持部５５に両端を固定されて背中の中程を支持する横U字形態の背中支持体６４と、この背中支持体６４と胴部支持部６２に裏側に設けられ複数本の面ファスナーバンド（図では省略）により取り付けてなる、背中中程に当るクッション６５、肩載せ体５３の前部右側に設けられたバンド６６を介して設けられた雌連結具６７、肩載せ体５３の前部右側に設けられたバンド取付具６８、背中支持体６４に端を取り付けて先端に雌連結具６７に連結する雄連結具６９を設けたバンド７０、下部受け部６３に端を取り付けてバンド取付具６８に通して締めるバンド７１とからなる装着バンド部７２と、シャフト支持部５５の下部側部に貫通された脚取り付け穴７３に両先端を填め込んで点滴携帯装置５２をテーブル等に立て状態で支持するための支持脚体７４とからなっている。
肩載せ体５３は軽金属製板材からなる芯材７５と、該７５の下部に貼られたクッション材７６と、これらを被う伸縮性部材からなる被い体７７とからなっている。
芯材７５は強く曲げると塑性変形する部材とするのも良い。こうすることにより装着者の肩の形状に合った形状にできる。
クッション６５の取付け方は多様な方法があるが、クッション６５の２倍ほどの上下長さを持ち上下に面ファスナーを設けた袋体にクッション６５を入れ、背中支持体６４に袋体の余った部位を被せ面ファスナーでその状態を固定するなどの方法がよい。
【００１９】
図１４に示す本発明を実施するための最良の第６の実施の形態において前記本発明を実施するための最良の第５の実施の形態と主に異なる点は、装着バンド部をバンド７１を胴に周して胴を締める胴締めバンド７９とし、該７９と連結する胴締めバンド８０を背中支持体６４に設けた装着バンド部８１を形成した点にある。
【００２０】
図１５に示す本発明を実施するための最良の第７の実施の形態において前記本発明を実施するための最良の第１の実施の形態と主に異なる点は、肩載せ体を開口側を下向きにしたコの字形態で軽金属製板部材からなる骨組部８３、この骨組部８３の下部に接着設けられた肩に当接する下側が半円形のクッション部８４とで形成してなる肩載せ体８５とし、点滴容器支持部をシャフト支持台１０、このシャフト支持台１０に前後に貫かれ前部の摘み部４７で摘んだ手によって回転されるネジ棒８６、このネジ棒８６に螺合された該８６の回転により前後移動する移動体８７、この移動体８７に固定され立ち上げられた逆Ｌ字形態の先端に点滴容器１２を吊るすためのフック１３を有する点滴容器支持体８８、シャフト支持台１０上部に形成された移動体８７の移動に伴って点滴容器支持体８８が移動できるようにし且つ立ち状態を支持するための案内支持穴８９とで形成された点滴容器支持部９０としてなる点滴携帯装置９１を形成した点にある。９３は背中当り支持部を抑えるパット抑え９３。
【００２１】
図１６〜図１８に示す本発明を実施するための最良の第８の実施の形態において１００は点滴容器携帯装置であって、この点滴容器携帯装置１００は左肩の後部側に載せる下部が湾曲形態で固定金具１０１と、この固定金具１０１に固定されてなるゴム板製部材やポリウレタンなどの合成樹脂製弾性部材などよりなる肩載せ体１０２と、この肩載せ体１０２の後部側に固定され立ち下げられた装置装着者Ａの背部横側に位置される板支柱材からなる胴部支持部１０３と、この胴部支持部１０３を上方に延長するようにして設け上部を前方に直角に折り曲げてなる点滴容器１２を略肩上方に支持するための点滴容器支持部５７と、肩載せ体１０２および胴部支持部１０３を装着者Ａに装着固定するための腰締めバンド１０４、肩載せ体１０２から腰背側に延びる縦締めバンド１０５とからなる装着バンド部１０６と、肩載せ体１０２の前方部分により形成された装着者Ａの身体形態や引っ張り方向に対応して沿え曲がる部材からなる曲がり部１０７と、この曲がり部１０７に設けられた点滴容器１２に取り付けた点滴管１１８を丸めるなどまとめて収納するポケット形態の管整理収納手段１０８を着脱自在に取り付ける面ファスナー１０９と、胴部支持部１０３の下部に位置調節穴１１０と調節ネジ１１１で高さ位置を調節可能に固定されてなる下部受け部６３と、この下部受け部６３に横向きに設けられた腰当パット１１２と装着バンド１０６の一方端を取り付けてなる後部支持体１１３と、点滴容器支持部５７の支柱部位に設けられた位置決め穴群１１４の適宜な位置決め穴に固定ネジ１１５で取り付けられた点滴容器１２の口部位を横に振れないように支持する点滴容器支持金具１１６と、点滴容器支持部５７の上部に設けられた点滴容器１２を吊り下げるための渦巻きフック１１７とからなっている。
雌連結具６７と雄連結具６９でバンド連結具１２１、１２２を形成している。
管整理収納手段１０８には面ファスナー（図示せず）の一方が裏側に設けられている。
渦巻きフック１１７に下げられた点滴容器１２を覆うカバー１２０は全体が紫外線をカットする部材から形成され、点滴容器１２を見る除き窓（図示せず）も紫外線カットの透明樹脂部材からできていて、点滴液に紫外線の影響が及ばないようになっている。
胴部支持部１０の肩載せ体１０２の下部側あたりから外側に曲げ逃がして胴部支持部１０が脇下側に位置するようにして、胴部支持部１０を横向きにして胴側部にフィットするようにした点滴容器携帯装置Ｅとするのもよい。
また、胴部支持部と点滴容器支持部を別部材として、胴部支持部を肩載せ体の前部に立ち下げ、該胴部支持部の本体が脇下側に行くように曲げ下げるようにしてなる点滴携帯装置Ｆもよい。
【００２２】
図１９に示す本発明を実施するための最良の第９の実施の形態において前記本発明を実施するための最良の第８の実施の形態と主に異なる点は、点滴容器を肩上方に保持しておく点滴容器携帯装置における点滴液の補給方法を提供するものであって、点滴容器１２に補給する点滴液を収納した補給容器１２３を腰装着バック１２４に携帯し、点滴容器１２と補給容器１２３を補給管１２５で連絡して補給容器１２３内の点滴液を点滴容器１２に補給可能としておき、点滴容器１２内の点滴容器がある程度減ったら装置装着者Ａ自らが補給容器１２３を手で潰すようにして抑えたり握りつぶしたりして収縮させて点滴容液を点滴容器１２に適度な量を一気にまとめて搾り出し補給するようにしている。
【００２３】
図２０に示す本発明を実施するための最良の第１０の実施の形態において前記本発明を実施するための最良の第９の実施の形態と主に異なる点は、電動ポンプ１２６のスイッチ１２７を操作することにより電動ポンプ１２６を作動させて補給容器１２３の点滴液を点滴容器１２に汲み上げ補給するようにした点にある。
【００２４】
図２１に示す本発明を実施するための最良の第１１の実施の形態において前記前記本発明を実施するための最良の第１０の実施の形態と主に異なる点は、点滴容器支持部５７の支柱部位に位置調節可能な、上限点滴液検出センサ１３０と下限点滴液検出センサ１３１を設け、点滴液の補給が自動的に行われ自動的に適宜な量を補給するようにした点にある。
下限点滴液検出センサ１３１が点滴液を検出しなくなると、警報手段（図示せず）が作動し警報音が鳴るとともに電動ポンプ１２６が自動作動して点滴液を点滴容器１２に補給を行い、上限点滴液検出センサ１３０が点滴液を検出すると警報音が鳴り電動ポンプ１２６は停止して点滴の補給を停止する。
このように下限点滴液検出センサ１３１が点滴液を検出しなくなると、警報手段（図示せず）が作動し警報音が鳴り、手動で点滴液を点滴容器１２に補給を行なって行き上限点滴液検出センサ１３０が点滴液を検出すると警報音が鳴るようにすることにより、安価にできる。
また、点滴液量手動調節手段１３３を設け、自動点滴停止手段１３４を設けている。また自動点滴停止手段１３４が下限点滴液検出センサ１３１が点滴液を検出しなくなって２分経過しても点滴液の補給がなければ点滴管１１８を強く挟持するなどして点滴液の落下を停止する。
【産業上の利用可能性】
【００２５】
本発明は医療器具や介護器具を製造する産業で利用される。
【図面の簡単な説明】
【００２６】
【図１】本発明を実施するための最良の第１の実施の形態の斜視図。
【図２】本発明を実施するための最良の第１の実施の形態の使用状態斜視図。
【図３】本発明を実施するための最良の第１の実施の形態の置き立て状態側面図。
【図４】本発明を実施するための最良の第２の実施の形態の斜視図。
【図５】本発明を実施するための最良の第３の実施の形態の斜視図。
【図６】本発明を実施するための最良の第３の実施の形態の壁面への支持状態斜視図。
【図７】本発明を実施するための最良の第３の実施の形態のソファーに置いた状態斜視図。
【図８】本発明を実施するための最良の第４の実施の形態の操作図。
【図９】本発明を実施するための最良の第５の実施の形態の正面図。
【図１０】本発明を実施するための最良の第５の実施の形態の側面図。
【図１１】本発明を実施するための最良の第５の実施の形態の断面図。
【図１２】本発明を実施するための最良の第５の実施の形態の使用状態斜視図。
【図１３】本発明を実施するための最良の第５の実施の形態の縦置き状態斜視図。
【図１４】本発明を実施するための最良の第６の実施の形態の使用状態斜視図。
【図１５】本発明を実施するための最良の第７の実施の形態の一部断面操作図。
【図１６】本発明を実施するための最良の第８の実施の形態の正面図。
【図１７】本発明を実施するための最良の第８の実施の形態の側面図。
【図１８】本発明を実施するための最良の第８の実施の形態の装着状態正面図。
【図１９】本発明を実施するための最良の第９の実施の形態の装着状態正面図。
【図２０】本発明を実施するための最良の第１０の実施の形態の装着状態正面図。
【図２１】本発明を実施するための最良の第１１の実施の形態の装着状態正面図。
【符号の説明】
【００２７】
１：点滴携帯装置、                      ２：右肩載せ部、
３：左肩載せ部、                        ４：連結部、
５：肩載せ体、                          ６：背中当り支持部、
７：シャフト支持穴、                    ８：シャフト支持穴、
９：固定ボルト、                      １０：シャフト支持台、
１１：点滴容器支持体、                １２：点滴容器、
１３：フック、                        １４：揺れ動き止め部、
１５：点滴容器支持部、      １６ａ、１６ｂ：雌連結具、
１７ａ、１７ｂ：雄連結具、  １８ａ、１８ｂ：バンド、
１９：装着バンド部、                  ２０：ストッパー、
２２：骨組部、                        ２３：填まり溝、
２４：クッション部、                  ２５：点滴携帯装置、
２６：補助支持棒、                    ２７：補助支持棒支持穴、
２８：雌連結具、                      ２９：雄連結具、
３０：調節バンド、                    ３１：雄連結具、
３２：調節バンド、                    ３３：雄連結具、
３４：装着バンド部、                  ３５：中当り支持背部、
３６：点滴携帯装置、                  ３７：カバー、
３８：装置保持具、                    ３９：ソファー、
４１：点滴容器支持体、                ４２：軸支部、
４３：軸支部、                        ４４：アーム、
４５：ボルト、                        ４６：雌ネジ部、
４７：摘み部、                        ４８：点滴容器支持部、
４９：点滴携帯装置、                  ５２：点滴携帯装置、
５３：肩載せ体、                      ５４：ネジ穴、
５５：シャフト支持部、                ５６：ボルト、
５７：点滴容器支持部、                ５８：前部フック、
５９：後部フック、                    ６０：長穴、
６１：支持突起、                      ６２：胴部支持部、
６３：下部受け部、                    ６４：背中支持体、
６５：クッション、                    ６６：バンド、
６７：雌連結具、                      ６８：バンド取付具、
６９：雄連結具、                      ７０：バンド、
７１：バンド、                        ７２：装着バンド部、
７３：脚取り付け穴、                  ７４：支持脚体、
７５：芯材、                          ７６：クッション材、
７７：被い体、                        ７９：胴締めバンド、
８０：胴締めバンド、                  ８１：装着バンド部、
８３：骨組部、                        ８４：クッション部、
８５：肩載せ体、                      ８６：ネジ棒、
８７：移動体、                        ８８：点滴容器支持体、
８９：案内支持穴、                    ９０：点滴容器支持部、
９１：点滴携帯装置、                  ９３：パット抑え、
１００：点滴容器携帯装置、          １０１：固定金具、
１０２：肩載せ体、                  １０３：胴部支持部、
１０４：腰締めバンド、              １０５：縦締めバンド、
１０６：装着バンド部、              １０７：曲がり部、
１０８：管整理収納手段、            １０９：面ファスナー、
１１０：位置調節穴、                １１１：調節ネジ、
１１２：腰当パット、                １１３：後部支持体、
１１４：位置決め穴群、              １１５：固定ネジ、
１１６：点滴容器支持金具、          １１７：渦巻きフック、
１１８：点滴管、                    １２０：カバー、
１２１：バンド連結具、              １２２：バンド連結具、
１２３：補給容器、                  １２４：腰装着バック、
１２５：補給管、                    １２６：電動ポンプ、
１２７：スイッチ、                  １３０：上限点滴液検出センサ、
１３１：下限点滴液検出センサ、      １３３：点滴液量手動調節手段、
１３４：自動点滴停止手段。
【図１】
2005246037.tif 000003
【図２】
2005246037.tif 000004
【図３】
2005246037.tif 000005
【図４】
2005246037.tif 000006
【図５】
2005246037.tif 000007
【図６】
2005246037.tif 000008
【図７】
2005246037.tif 000009
【図８】
2005246037.tif 000010
【図９】
2005246037.tif 000011
【図１０】
2005246037.tif 000012
【図１１】
2005246037.tif 000013
【図１２】
2005246037.tif 000014
【図１３】
2005246037.tif 000015
【図１４】
2005246037.tif 000016
【図１５】
2005246037.tif 000017
【図１６】
2005246037.tif 000018
【図１７】
2005246037.tif 000019
【図１８】
2005246037.tif 000020
【図１９】
2005246037.tif 000021
【図２０】
2005246037.tif 000022
【図２１】
2005246037.tif 000023